(57)【要約】【課題】洗面ドレッシングの汚れを除去することができるミスト装置付き洗面ドレッシングを提供する。【解決手段】洗面ドレッシング１の洗面ボウル４及び収納ボックス６内部に付着した汚れ、収納ボックス６内の小物の汚れをミストで除去するために、ミストを発生させる発生部を有するミスト発生装置８を備える。ミスト径が０．１乃至５０μｍの液体のミストをミスト発生装置８から、洗面ボウル４には供給管を経てシャワーノズル７により供給し、収納ボックス６には供給管を経てミスト供給口により供給する。【選択図】図１
2007143703.tif 000002
【特許請求の範囲】
【請求項１】
径が０．１乃至５０μｍの液体のミストを発生させるミスト発生部を備えたことを特徴とするミスト装置付き洗面ドレッシング。
【請求項２】
小物が収納可能な収納ボックスを有することを特徴とする請求項１記載のミスト装置付き洗面ドレッシング。
【請求項３】
液体のミストの温度を制御する温度制御手段を設けたことを特徴とする請求項１又は２記載のミスト装置付き洗面ドレッシング。
【請求項４】
ミストに有用成分を添加する添加手段を設けたことを特徴とする請求項１乃至３記載のミスト装置付き洗面ドレッシング。
【請求項５】
ミストの吐出量を自動で調節する制御手段を設けたことを特徴とする請求項１乃至４のいずれかに記載のミスト装置付き洗面ドレッシング。
【請求項６】
ミストの粒子径を制御する粒子径制御手段を設けたことを特徴とする請求項１乃至５のいずれかに記載のミスト装置付き洗面ドレッシング。
【請求項７】
汚れに応じて運転モードを変更するモード変更手段を設けたことを特徴とする請求項１乃至６のいずれかに記載のミスト装置付き洗面ドレッシング。
【請求項８】
ミスト洗浄した後の被洗浄小物を乾燥する乾燥手段を設けたことを特徴とする請求項１乃至７のいずれかに記載のミスト装置付き洗面ドレッシング。
【請求項９】
前記ミスト発生部からミスト使用個所へのミスト供給が切替できるような切替手段を設けたことを特徴とする請求項１乃至８のいずれかに記載のミスト装置付き洗面ドレッシング。
【請求項１０】
前記ミストをカラン部から供給することを特徴とする請求項１乃至９のいずれかに記載のミスト装置付き洗面ドレッシング。
【請求項１１】
液体のミストのミネラル成分を制御する不純物制御手段を設けたことを特徴とする請求項１乃至１０のいずれかに記載のミスト装置付き洗面ドレッシング。
【発明の詳細な説明】
【技術分野】
【０００１】
本発明は、洗面ドレッシング及びこれに備えられる小物類の汚れを洗浄液を微粒子状にしたミストによって洗浄するミスト装置付き洗面ドレッシングに関するものである。
【背景技術】
【０００２】
洗面ドレッシング、特に洗面ボウルは水の飛散により、その環境は非常にウェットな状態である。そのため、微生物の繁殖には好条件な環境である。また、洗面ドレッシング廻りにはコップ、歯ブラシ、入れ歯など小物類が常備されることが多く、それらにヌメリ汚れ（菌）が繁殖し、不衛生である。
【０００３】
一般に、洗面ドレッシング壁等の汚れを除去するには拭き取りにより行われ、コップ、歯ブラシ等の小物類の洗浄は流水により行われている。洗面ドレッシングの水廻りに付着した汚れを除去するのには手間がかかり、殊に使用後の小物類に付着した汚れの除去は不愉快で面倒な作業であった。特に、壁の細かい隙間などがあると、拭き布が行き渡らない陰になる部分となり、汚れが除去されず、十分な洗浄ができないという課題を有していた。
【０００４】
ところで、洗面ドレッシングではないが、浴槽壁等の浴室の汚れを除去するための洗浄システムとして、浴室の上部に設置したスプレーノズルから洗剤をスプレーし、その後、水噴霧ノズルから水を霧状に噴霧して洗剤をすすぐものが知られている（例えば、特許文献１参照）。
【特許文献１】特開２００２−２５３４４０号公報
【発明の開示】
【発明が解決しようとする課題】
【０００５】
上記特許文献１に示された洗浄システムでは、洗剤用のスプレーノズルと水噴霧ノズルとがそれぞれ必要となり、設備コストが高くつくだけでなく、洗面ドレッシングでは、その細部に洗剤が浸透しないとともに、洗剤や水が長く残るおそれがあるという課題を有していた。また、個別機器として髪、肌の保湿効果を狙った機器が販売されているが、設置場所やコンセントを要し、手軽にすぐに利用できない。
【０００６】
本発明は上記の従来の問題点に鑑みてなされたものであって、その目的とするところは、洗面ドレッシングの汚れを除去することができるミスト装置付き洗面ドレッシングを提供することである。本発明の他の目的は、アロマ効果、殺菌・消臭効果を得ることができるミスト装置付き洗面ドレッシングを提供することである。
【課題を解決するための手段】
【０００７】
前記課題を解決するため本願発明の請求項１に係るミスト装置付き洗面ドレッシングは、径が０．１乃至５０μｍの液体のミストを発生させるミスト発生部を備えたことを特徴とするものである。
【０００８】
また請求項２に係る発明は、請求項１のミスト装置付き洗面ドレッシングにおいて、収納ボックスを有することを特徴とする。収納ボックスを密閉可能な構造とすることが、ミストの作用効果をより高めるうえで好ましい。
【０００９】
また請求項３に係る発明は、請求項１又は２記載のミスト装置付き洗面ドレッシングにおいて、液体のミストの温度を制御する温度制御手段を設けたことを特徴とする。ミスト温度を制御する温度制御手段としては、ミスト発生部又は供給経路途中にヒータ、熱交換器等を備えて構成される。ミスト温度を室温以上の高温に加熱することは、ミストの拡散効率を上げ、少ない霧化量で高い洗浄性と浸透性を得ると共に、加熱効果を得る利用ができ、殺菌性を高めるうえでも好ましい。また室温以下のミストは食品の冷却に使用できる。室温以下のミストを得るには、加熱・冷却可能な熱媒を使用する温度調節手段又は冷却手段をミスト発生部又は供給経路途中に設ければよい。
【００１０】
また請求項４に係る発明は、請求項１乃至３のミスト装置付き洗面ドレッシングにおいて、ミストに有用成分を添加する添加手段を設けたことを特徴とする。有用成分としては、アロマ効果のあるハーブ、柑橘類、樹木等の芳香などがあげられ、洗浄効果を促進する洗剤やアルカリ性化合物、殺菌、消臭効果のあるアルカリ性化合物、Ａgイオン,ＩＰＡ、酸性化合物、アルカリ性化合物等の殺菌成分等があげられる。
【００１１】
また請求項５に係る発明は、請求項１乃至４のいずれかのミスト装置付き洗面ドレッシングにおいて、ミストの吐出量を自動で調節する制御手段を設けたことを特徴とする。ミストの吐出量を制御する制御手段として送風機を設けて、送風機と連動してミストの吐出量を制御することにより行う。
【００１２】
また請求項６に係る発明は、請求項１乃至５のミスト装置付き洗面ドレッシングにおいて、ミストの粒子径を制御する粒子制御手段を設けたことを特徴とする。ミスト粒子径を微細化する粒子制御手段としては、超音波振動子により周波数を変えて加振する方法、アーク放電の付加等があげられる。粒子制御手段によりミストを微細化することはミストの拡散効率を上げ、少ない霧化量で高い洗浄性と浸透性を得るうえで好ましい。
【００１３】
また請求項７に係る発明は、請求項１乃至６のいずれかのミスト装置付き洗面ドレッシングにおいて、汚れに応じて運転モードを変更するモード変更手段を設けたことを特徴とする。
【００１４】
また請求項８に係る発明は、請求項１乃至７のいずれかのミスト装置付き洗面ドレッシングにおいて、ミスト洗浄した後の被洗浄小物を乾燥する乾燥手段を設けたことを特徴とする。
【００１５】
また請求項９に係る発明は、請求項１乃至８のいずれかのミスト装置付き洗面ドレッシングにおいて、前記ミスト発生部からミスト使用個所へのミスト供給が切替可能な切替手段を設けたことを特徴とする。
【００１６】
また請求項１０に係る発明は、請求項１乃至９のいずれかのミスト装置付き洗面ドレッシングにおいて、ミストをカラン部から吐出させることを特徴とする。
【００１７】
また、請求項１１に係る発明は、請求項１乃至１１のいずれかのミスト装置付き洗面ドレッシングにおいて、液体のミストのミネラル成分を制御する不純物制御手段を設けたことを特徴とする。不純物制御手段としては、イオン交換式水処理装置や逆浸透式水処理装置等があげられる。
【発明の効果】
【００１８】
本願の請求項１に係るミスト装置付き洗面ドレッシングによれば、ミスト発生部にて洗浄液のミストを発生させて洗面ボウルや所要の空間に吐出することで、この洗浄液のミストが洗面ボウルや収納ボックスなどの所要のものに付着している汚れに浸透してこの汚れを浮かせることができる。また、ミスト発生部にて水のミストを発生させて洗面ボウルに吐出することで、ミストが浮いている汚れをすすいで除去することができる。従って、洗剤や水の行き渡らない陰になる部分の汚れをも除去して十分な洗浄ができる。洗浄の場合は、径が０．１乃至２０μｍの洗剤入り水溶液の液体のミストを用い、すすぎの場合は、径が１乃至５０μｍ程度の水のミストを用いることが、それぞれ洗浄効果とすすぎ効果が特によくなることで好ましい。
【００１９】
また請求項２に係る発明によれば、請求項１の発明の効果に加えて、洗面ボウルのみでなく収納ボックス内にコップや歯ブラシや入れ歯などの小物を収容して洗浄することが、そこに収容された小物類へのミスト付着効率を高めて高効率のミスト洗浄や殺菌を行うことが可能となる。
【００２０】
また請求項３に係る発明によれば、請求項１の発明の効果に加えて、温度制御により適切な温度に制御された温ミストを発生させて洗浄力を向上させることができる。温度を室温以上に加熱することで、ミストの拡散を良くすると共に、殺菌効果を得ることができる。
【００２１】
また請求項４に係る発明によれば、請求項１の発明の効果に加えて、有用成分として、洗浄効果やアロマ効果や殺菌効果等のある成分などの有用成分を１種ずつ又は２種以上含むミストを一緒に発生することができるような構成とすることで、有用成分の効果を効率よく得ることができる。
【００２２】
また請求項５に係る発明によれば、請求項１の発明の効果に加えて、必要に応じたミストの吐出ができ、強力なミスト洗浄が可能となる。
【００２３】
また請求項６に係る発明によれば、請求項１の発明の効果に加えて、高効率のミスト洗浄を行うことが可能となる。径の小さなミストを発生させると、拡散効率及び浸透性が高くなって洗浄効果が高くなり、付着効率を高めて高効率のミスト洗浄を行うことが可能となる。また、比較的粒径の大きいミストを発生させると、すすぎ洗浄が効果的に行われる。
【００２４】
また請求項７に係る発明によれば、請求項１の発明の効果に加えて、簡単な構成で高洗浄モード、殺菌モード、通常モード等に変更することで、より要求に適合した効果的なミストを発生できる。
【００２５】
また請求項８に係る発明によれば、請求項１の発明の効果に加えて、ミスト洗浄の効果を長期間維持することができる。
【００２６】
また請求項９に係る発明は、請求項１の発明の効果に加えて、簡単な小型な構成で必要個所へミストがより多く行き渡り、高効率のミスト洗浄を行うことが可能となる。
【００２７】
また請求項１０に係る発明によれば、請求項１の発明の効果に加えて、洗面ボウルの洗浄が特に容易となるとともに、装置の構成を簡単にできる。
【００２８】
また請求項１１に係る発明は、請求項１の発明の効果に加えて、液体のミストのミネラル成分を減らすようにした液体のミストですすぎを行うことにより、乾燥後に液中の不純物が水垢として残るのをなくすことができる。
【発明を実施するための最良の形態】
【００２９】
以下、本発明の実施形態を添付図面に基づいて説明する。図１は本実施形態のミスト装置付き洗面ドレッシングを示す斜視図、図２はその収納ボックスの斜視図、図３は収納ボックスの側面図、図４はそのミスト発生装置の構成を示すブロック図、図５はミスト発生装置のミスト発生部の断面図である。
【００３０】
図に示すように、ミスト装置付き洗面ドレッシング１は、通常の洗面ドレッシングと同様に、ミラー２を備えた洗面キャビネット３、照明器具、洗面ボウル４、カラン５、小物収納用の収納ボックス６、シャワーノズル７を備え、さらに、ミスト発生装置８、温風発生装置９及び洗面ボウル４の少なくともその空間が密閉可能なように蓋体１０を備える。
【００３１】
ミラー２と洗面キャビネット３は洗面台本体１１の上方に配置され、ミラー２はキャビネット３の前面に使用者に面するように直立して設けられている。洗面ボウル４とカラン５と小物収納用ボックス６は、洗面台本体１１の上面に配置されている。ミスト発生装置８の本体部は、洗面台本体１１の下部の空間に設けられ、この空間は扉１２により開閉可能とされている。また、洗面台本体１１の上方には、ミスト供給を行わせるスイッチや図示していない照明器具をオンーオフするスイッチなどを備えた操作部１３が配置されている。
【００３２】
洗面ボウル４の上部にはカラン５とシャワーノズル（ミスト供給ノズル）７が前方に突き出して配置されている。カラン５は洗面ボウル３に温度調節した水を吐水するように図示してない給水管、温水供給管等に連結している。
【００３３】
小物収納用ボックス６は、洗面キャビネット３の下部に設けられ、蓋６１が開閉可能に設けられ、内部にコップや歯ブラシや入れ歯などの小物類を収容するように、適宜スタンドや仕切などが設けられている。蓋６１はなくてもよいが、ミスト洗浄等のためにあった方がよい。
【００３４】
また、本実施の形態の収納ボックス６には、ボックス内空間にミストを吐出するミスト供給口６２、付着ミストを乾燥させるための乾燥気体を供給する熱風供給口６３，凝集ミストを排出するための集水口６４が開口している。ミスト供給口６２はミスト供給管６５を介して、後述するミスト発生装置８に連通し、熱風供給口６３は熱風発生装置に連通する熱風供給管６６に連通している。集水口６４は排水管６７に連通し、排水管６７は洗面ボウル４に一端を開口させている。凝縮したミストは、洗面ボウル４の排水管４０を経て排水される。
【００３５】
本実施形態のミスト発生装置８は、ミスト発生部８０と、ミスト発生部８０に貯留する洗浄液Ｓ等の洗剤等の有用成分を供給するための液貯留タンク８１、液搬送経路８２、ミスト発生部８０に水を供給する給水経路８３、ミストの温度を調節するミスト温度調節装置８９で主体が構成される。
【００３６】
ミスト発生部８０は、供給経路としての供給管１４を介して洗面ボウル４のシャワーノズル７に連通すると共に、収納ボックス６にミストを供給するミスト供給管６５等の使用個所に連通している。
【００３７】
ミスト発生部８０としては、超音波振動によるもの、スチームによるもの、圧力噴霧によるもの、アーク放電によるもの等が用いられる。これらのミスト発生機構により、高効率でミスト発生部８０にてミストを発生させることが可能となる。
【００３８】
超音波振動子８７を設けたミスト発生部８０の場合には、超音波振動子８７はミスト発生部８０に溜まっている洗浄液Ｓ中に浸漬されるように配置され、発信器（図示せず）からの発振出力が供給されて洗浄液Ｓを超音波振動させて、例えばミスト径が０．１〜５０μｍ程度の微粒子状の洗剤ミストＭが生成されるようになっている。
【００３９】
スチームによるミスト発生部８０の場合には、液体を加温してスチームを発生させることでミストＭを発生させる。また、アーク放電によるミスト発生部の場合には、高電圧ブロックにより高電圧を印加してミスト化するものである。また、図５に示すように、超音波振動子８７と粒子径制御手段を構成するアーク放電の電極８８等と２種以上組み合わせてミストを微粒化するミスト発生部８０の場合には、高効率で径の小さいミストＭを発生させることができる。
【００４０】
また、ミスト発生部８０に液体のミストＭの温度を加温したり冷却する加温・冷却手段８９、図示していない調節装置等から温度制御手段を構成してもよい。洗浄液Ｓを加熱するように温度調節して、加温された温ミストＭを発生させることにより、拡散性及び洗浄力を向上させることができる。
【００４１】
液貯留タンク８１は、有用成分である洗剤の原液８４を貯留するタンクであり、添加手段を構成し、その底部付近には、液貯留タンク８１内に貯留している洗剤の原液８４を搬送する液搬送経路８２となる配管の一端部が配置される。液搬送経路８２には、途中に液搬送経路８２を開閉するための液搬送バルブ８５が設けてあり、液搬送経路８２の他端部はミスト発生部８０に接続される。
【００４２】
また、ミスト発生部８０には、水道等の給水源からの給水経路８３が接続される。給水経路８３の途中には給水弁８６が設けてある。このミスト発生部８０には、液搬送バルブ８５を開いて液貯留タンク８１内に貯留してある洗剤の原液８４を液搬送経路８２を介して供給すると共に、給水弁８６を開いて給水源より給水経路８３を介して水を供給し、有用成分としての洗剤の原液８４の所定の濃度の水溶液を生成してミスト洗浄用の洗浄液Ｓとするものである。なお、他の有用成分のミストを発生する場合はその成分の液を洗浄液Ｓの代わりに用いることとし、すすぎ洗浄を行う場合には、ミスト発生部８０に水のみを貯留しておくものである。
【００４３】
このミスト発生装置８の動作について洗面ボウル４を洗浄する場合について説明すると、まず、シャワーノズル７にミスト発生装置８に接続し、シャワーノズル７を洗面ボウル４の空間に差し込み、洗面ボウルの上面は蓋体１０により密封する。
【００４４】
さらに、液搬送バルブ８５を開いて、洗剤の原液８４を液貯留タンク８１から液搬送経路８２を介してミスト発生部８０に搬送すると共に、給水弁８６を開いて水道等の給水源より給水経路８３を介してミスト発生部８０に給水し、洗剤の原液８４を所定の濃度に薄めてミスト洗浄用の洗浄液Ｓを生成する。洗剤の原液としては市販の浴室用洗剤（例えば「バスマジックリン」）でよく、希釈濃度は通常は例えば１０倍（この場合例えば洗剤３０ｃｃに対して水２７０ｃｃ）とし、洗浄水の余分な使用をさけるようによう配慮して、３００ｃｃの洗剤液Ｓを準備する。
【００４５】
次に、ミスト発生部８０の超音波振動子８７を振動させて、ミスト発生部８０に溜まっている洗浄液Ｓを霧状化して洗剤ミストＭを発生させる。ミストの径が０．１〜５０μｍの洗浄液ＳのミストＭを発生させる。ミスト発生部８０により発生した洗剤ミストＭは、供給管１４を介して洗面ボウル４の空間に所定時間（例えば通常の５〜１５分間）吐出し、洗面ボウル４に付着することで洗面ボウル４に付着している汚れを浮かせるものである。
【００４６】
また、洗面ボウル４のすすぎ洗浄を行う場合には、液搬送バルブ８５は閉じたままにしてミスト発生部８０に洗剤の原液８４を供給せず、給水弁８６を開いてミスト発生部８０に給水して水のみを貯留する。そして、ミスト発生部８０の超音波振動子８７を振動させて、ミスト発生部８０に溜まっている水を霧状化して水のミストＭを発生させて洗面ボウルに吐出し、水のミストＭを洗面ボウル４に付着させて洗面ボウル４のすすぎ洗浄を行うものである。
【００４７】
なお、収納ボックス６のミスト洗浄についても、洗浄、すすぎを洗面ボウル４の場合と同様に行う。  すすぎにおいて、殺菌成分、アロマ成分等の有用成分を添加して行ってもよい。すすぎを終了した後に、熱風供給口６３から乾燥気体を供給して壁面、小物に付着したミストを乾燥させる。これにより、カビの繁殖をなくす効果が一層確実にできる。この場合、収納ボックス６内のものはそのままの状態で処理できる。なお、上述した動作は図示しない制御部によって制御されるものである。
【００４８】
このように、径が０．１〜５０μｍの洗浄液ＳのミストＭをミスト発生部８０により発生させてミスト洗浄を行うことで、洗面ボウル４の表面に付着している汚れに浸透してこの汚れを浮かせて除去することができ、洗面ボウル４の形状に関係なく隅々まで洗浄を行うことができて、カビや菌の繁殖を抑えることが可能となる。
【００４９】
本実施形態では、一つのミスト発生部８０に液搬送経路８２と給水経路８３とを接続して、洗浄液ＳのミストＭを発生させる場合には液搬送経路８２を介して洗剤の原液を供給すると共に給水経路８３を介して水を供給してミスト発生部８０に洗浄液Ｓを貯留し、水のミストＭを発生させる場合には給水経路８３を介して水を供給してミスト発生部８０に水を貯留することができて、一つのミスト発生部８０にて洗浄液ＳのミストＭと水のミストＭの両方をそれぞれ発生させることができる。
【００５０】
また、このような超音波振動によるミスト発生部８０を備えたものにおいては、超音波の振動数を増減することで発生させるミストＭの径が調節可能となる。高周波の超音波振動によりミストＭを発生させると、径の小さな（０．１〜２０μｍ程度）のミストＭが生成され、少量であっても拡散効率及び浸透性が高くなって洗浄効果が高く、低周波の超音波振動によりミストＭを発生させると、径の大きな（１〜５０μｍ程度）のミストＭが生成され、多量のミストＭを発生させてすすぎ洗浄が効果的に行われる。
【００５１】
本実施形態では、ミスト発生部８０にて洗浄液ＳのミストＭを発生させるための洗浄液Ｓの洗剤濃度、洗浄液ＳのミストＭの吐出量及びミスト噴霧時間を自動で調節するように制御することができるように、運転モード変更手段を有するものである。また、収納ボックス洗浄モードとして、収納ボックス６の洗浄、すすぎ、殺菌、乾燥を自動で行わせるようにしてもよい。
【００５２】
これは例えば、汚れがひどい場合には、操作部により「強力洗浄モード」を入力することで、洗剤濃度が例えば通常の二倍（即ち五倍希釈）の洗浄液Ｓを生成してミスト発生部８０に貯留し、通常（５分〜１５分）の１．５〜３倍の時間（即ち１５〜４５分間）ミスト噴霧を行う。これにより、「強力洗浄モード」とするだけで強力なミスト洗浄が可能となる。
【００５３】
次に、図６によりミスト装置付き洗面ドレッシングのミスト発生装置の他の実施形態について説明する。本実施形態では、洗剤を含む有用成分を２種以上添加できるように添加手段が設けられて構成すると共に、複数のミスト供給個所への供給が容易なように構成したことが上記実施形態と相違しているのみであるので、共通する部分については同一符号を付して詳細な説明は省略する。
【００５４】
本実施形態のミスト発生装置８ａは、有用成分Aを供給するための液貯留タンク８１a、有用成分Bを供給するための液貯留タンク８１b、それぞれの液搬送経路８２a、８２ｂをそれぞれ開閉するバルブ８５a、８５ｂがそれぞれ設けられてなるミスト有用成分供給系が設けられて構成される。
【００５５】
液貯留タンク８１aに貯留する有用成分Aとしては、例えばアロマ効果に有効な柑橘類、ハーブ、樹木等の芳香成分があげられ、液貯留タンク８１ｂに貯留する有用成分Bとしては、例えば殺菌効果に有効な銀イオン、ＩＰＡ等の成分があげられる。
【００５６】
これらの有効成分を含む有効成分は１種ずつ又は複数成分がそれぞれの貯留タンク８１a、８１ｂに貯留される。そして、ミスト発生部８０において、１種ずつ又は複数成分を供給し、それが含まれた洗浄液Sとすれば、その有効成分に対応した１種又は複数成分を含んだミストを発生することができる。
【００５７】
このように有用成分を含んだミストを発生させて洗面ドレッシングに用いることにより、その作用を常時享受することができる。また、ミスト供給経路である供給管１４に分岐弁１５を設け、分岐経路１４ａ，分岐経路１４ｂ，分岐経路１４ｃと分岐させている。そして、各分岐経路１４ａ，１４ｂ，１４ｃをそれぞれシャワーノズル７、収納ボックス６、洗面ボウルミスト吐出ノズルなどの必要個所に固定して連通させる。また、供給管１４又は分岐経路１４ａ，１４ｂ，１４ｃにミスト吐出量を調節する制御手段として図示していない送風機や弁を設けてもよいし、温風を供給できるように温風発生機を設けてもよいし、温風発生機に連結してもよい。
【００５８】
なお、上記実施形態において、蓋体１０や扉を有する例で説明しているが、密閉するためのこれらは必須ではないが、効率よくミスト洗浄等するためにはあった方がよい。また、洗面ボウル４のカラン５は洗面ボウル３に温度調節した水を吐水するようにしている例で説明したが、カランにミストを供給するようにミスト発生装置に連結してもよい。
【００５９】
また、ミスト径の制御を超音波の周波数で行う例で説明したが、温度、アーク放電による制御であってもよい。また、水道等の給水源からの給水経路８３の途中に、水道等の給水に含まれるミネラル成分等の蒸発後に残る不純物を除去する不純物制御手段を設けてもよい。不純物制御手段の代表的なものとしては、イオン交換式水処理装置や逆浸透式水処理装置等があげられる。
【図面の簡単な説明】
【００６０】
【図１】本発明のミスト装置付き洗面ドレッシングの一実施形態の斜視図である。
【図２】その小物収納用ボックスの斜視図である。
【図３】そのミスト発生装置のブロック図である。
【図４】そのミスト発生装置のミスト発生部の要部ブロック図である。
【図５】そのミスト発生装置のそのミスト発生部の他の実施形態の要部ブロック図である。
【図６】そのミスト発生装置の他の実施形態の要部ブロック図である。
【符号の説明】
【００６１】
１  ミスト装置付き洗面ドレッシング
２  ミラー
３  洗面キャビネット
４  洗面ボウル
５  カラン
６  小物収納用ボックス
７  シャワーノズル（ミスト供給ノズル）
８  ミスト発生装置
１０  蓋体
１１  洗面台本体
１３  操作部
８０  ミスト発生部
Ｍ  ミスト
Ｓ  洗浄液
【図１】
2007143703.tif 000003
【図２】
2007143703.tif 000004
【図３】
2007143703.tif 000005
【図４】
2007143703.tif 000006
【図５】
2007143703.tif 000007
【図６】
2007143703.tif 000008